(57)【特許請求の範囲】
【請求項１】
一人の患者が使用する病室内のベッド近傍に設置される個室用トイレであって、
前記個室用トイレの空間を形成する壁面と、
患者が前記空間に出入りするために開閉可能に動作するドアと、
前記壁面および前記ドアの少なくとも一部に設けられ、外部から視認可能な第一の状態と外部から視認不能な第二の状態とに変化するシャッター部と、
前記患者が個室用トイレを使用する際に操作され、呼出信号を生成するボタンと、
前記患者の前記空間への出入りを検出する検出部と、
前記ボタンにより生成された呼出信号を、前記患者が前記トイレを使用していることを通知するためのナースコール親機へ出力するインターフェースと、
前記ボタンにより呼出信号が生成されると、前記ドアを開状態にするとともに、この状態で前記患者が前記空間へ入ったことを前記検出部にて検出した場合に、前記ドアを閉状態とする第一の制御と、前記ボタンにより呼出信号が生成されたタイミング、または、前記患者が前記空間へ入ったことを前記検出部にて検出したタイミングの何れかの状態から前記患者が前記空間から出たことを前記検出部にて検出するまでの間、前記シャッター部を前記第一の状態とする第二の制御とを行う制御部と、
を備えたことを特徴とする個室用トイレ。
【発明の詳細な説明】
【技術分野】
【０００１】
本発明は、病院などで一人の患者が使用する病室に設置される個室用トイレに関する。
【背景技術】
【０００２】
従来、病院などの施設では、複数の病室の患者が使用する共用のトイレが施設内の各所に設置されていた。この場合、病室に居る患者が自力でトイレに行ったり、病室に居る患者が看護師などの医療従事者による介助によりトイレに行ったりする際の移動距離が長くなってしまうという問題があった。また、複数の患者によりトイレが使用されるため、感染症の懸念もあった。
【０００３】
これらの問題を解決するために、一人の患者が使用する病室に簡易式トイレを設置する技術が知られている（例えば、特許文献１など）。この特許文献１に記載の技術によれば、重症患者などが使用するボックス式の簡易式トイレをベッドの横に設置している。また、特許文献１に記載の技術に限らず、個室内に通常のトイレを設置するようにしても良い。何れの場合も、トイレ内の臭いや音が外部に漏れないようにしたり、ベッドに居る患者からトイレ内が見えないようにしたりするために、トイレは不透明の壁面や不透明のドアで覆われている。しかしながら、上述した公知資料では、患者がトイレ内で倒れている場合に、医療従事者は、病室を覗いても患者の異常に気付くことができないという問題があった。
【０００４】
ところで、病室内の患者が医療従事者を呼び出すためのナースコールシステムが知られている。このナースコールシステムでは、患者の近辺（例えば、ベッド近傍など）に設置されたナースコール子機と医療従事者の常駐するスタッフルームなどに設置されたナースコール親機とを有線や無線などにより接続している。このように構成されたナースコールシステムでは、患者がナースコール子機に設けられた呼出操作部を操作することによって、ナースコール親機に設けられた報知部が動作し、患者が医療従事者を呼び出すことができる。医療従事者は、ナースコール親機に設けられたハンドセットをオフフックして応答を行うとともに、患者と通話を行うことができる。
【０００５】
また、これに加えて、医療従事者が携行する携帯端末（例えば、ＰＨＳ（Personal
Handy phone System）端末など）とＰＢＸ（Private Branch Exchange：電話交換機）とを備えたナースコールシステムも提供されている。そして、ナースコール子機により呼び出しが行われた場合に、携帯端末は鳴動したり振動したりして報知を行う。医療従事者は、携帯端末を操作して応答を行うとともに、患者と通話を行うことができる。
【０００６】
このようなナースコールシステムが設置されている病院にて、病室の患者が病室に設置されているトイレに行きたいと思った場合に、患者がナースコール子機の呼出操作部を操作して、医療従事者を呼び出し、医療従事者の介助によりトイレに移動することが好ましい。しかしながら、患者の中には、医療従事者を呼び出すことを躊躇して、ナースコール子機の呼出操作部を操作せず、自力でトイレに移動する患者が存在している。そのため、自力で移動した患者が危険な状態に陥ることが懸念されている。
【先行技術文献】
【特許文献】
【０００７】
【特許文献１】特開平１０−４３０８９号公報
【発明の概要】
【発明が解決しようとする課題】
【０００８】
本発明は、上述したような問題を解決するために成されたものであり、一人の患者が入院している個室に設置されたトイレを患者が使用する際に、患者がトイレを使用していることを医療従事者に確実に通知するとともに、患者がトイレを使用していないときには、患者にトイレの存在を感じさせず、患者がトイレを使用しているときには、医療従事者が個室を覗いただけで、トイレの状況を把握することができるようにすることを目的とする。
【課題を解決するための手段】
【０００９】
上述した課題を解決するために、本発明では、個室内のベッドの近傍にトイレを設置し、患者がトイレに出入りするためのドアをトイレに取り付け、ベッド近傍に設けたボタンを操作することによりドアを開状態にするとともに、医療従事者を呼び出す通知を行い、患者がトイレ内に入ったことを検出することでドアを閉状態にするようにしている。また、トイレの壁面およびドアの少なくとも一部を外部から視認可能な第一の状態と外部から視認不能な第二の状態とを遷移可能とし、患者がボタンを操作するか、患者がトイレ内に入ったことを検出するかの何れかの状態から患者がトイレ外へ出たことを検出するまでの間、第一の状態とするようにしている。
【発明の効果】
【００１０】
上記のように構成した本発明によれば、患者がトイレのドアを開けるために操作しなければならないボタンの操作により医療従事者を呼び出す通知が行われるので、個室に居る患者がトイレを使用していることを医療従事者に確実に通知することができる。また、トイレの壁面およびドアの少なくとも一部が外部から視認可能な第一の状態と外部から視認不能な第二の状態とを遷移可能に構成されており、患者がボタンを操作するか、患者がトイレ内に入ったことを検出するかの何れかの状態から患者がトイレ外へ出たことを検出するまでの間、外部から視認可能な第一の状態となるので、患者がトイレを使用している際に、医療従事者が個室を覗いただけで、トイレの状況を把握することができる。一方、それ以外の間は、外部から視認不能な第二の状態となるので、患者がトイレを使用していないときには、患者にトイレの存在を感じさせないようにすることができる。
【図面の簡単な説明】
【００１１】
【図１】本実施形態による個室用トイレの構成例を示すブロック図である。
【図２】本実施形態による個室用トイレの外観例を示す図である。
【図３】本実施形態による個室用トイレのシャッター部の外観例を示す図である。
【図４】本実施形態による個室用トイレのシャッター部の外観変形例を示す図である。
【発明を実施するための形態】
【００１２】
以下、本発明の一実施形態を図面に基づいて説明する。図１は、本実施形態による個室用トイレ１の構成例を示すブロック図である。また、図２は、本実施形態による個室用トイレ１の外観例を示す図である。図１に示すように、本実施形態による個室用トイレ１は、一人の患者によって使用される病室内のベッド近傍に設置される。ここで、病室はドアによって廊下と隔離されている。
【００１３】
また、個室用トイレ１は、制御部２、ボタン３、検出部４、シャッター部５、インターフェース６を備えて構成されている。また、個室用トイレ１は、壁面ＷおよびドアＤにより形成される空間内に設置されており、その空間内に便器および洗面台が設置されている。また、ドアＤは、スライド式のドアであり、モーターなどにより開状態または閉状態に動かされる。
【００１４】
制御部２は、個室用トイレ１の各構成要素を後述するように制御するためのものであり、ＣＰＵ（Central Processing Unit）などにより構成されている。ボタン３は、患者が個室用トイレ１を使用する際に操作するためのものである。ここで、ボタン３は、患者が手元で操作できるように、ベッド近傍に設けられている。ボタン３が操作されると、ボタン３は呼出信号を生成して制御部２へ出力する。
【００１５】
検出部４は、壁面ＷおよびドアＤにより形成される空間内への人の出入りを検出するためのものであり、個室用トイレ１の天井に設置される人感センサーなどにより構成される。検出部４は、空間内に人が入ったことを検出すると検出信号を生成して制御部２へ出力し、空間内から人が出たことを検出する（換言すると、空間内で人が検出されなくなる）と退出信号を生成して制御部２へ出力する。
【００１６】
シャッター部５は、少なくとも壁面Ｗの一部に形成されており、個室用トイレ１内を視認可能とする第一の状態と個室用トイレ１内を視認不能とする第二の状態とに変化する。ここで、常態においてシャッター部５は第二の状態である。例えば、図３に示すように、シャッター部５は、モーターなどにより駆動するブラインドにより構成されている。このブラインドは、複数の板状部材５ａを縦方向に並べて構成されており、複数の板状部材５ａを壁面Ｗに対して垂直になるように動かすことで、個室用トイレ１内を視認可能な第一の状態とする（図３（ａ）参照）。一方、複数の板状部材５ａを壁面Ｗに対して平行になるように動かすことで、個室用トイレ１内を視認不能な第二の状態とする（図３（ｂ）参照）。
【００１７】
なお、本実施形態では、複数の板状部材５ａを縦方向に並べているが、これに限定されない。例えば、複数の板状部材５ａを横方向に並べるようにしても良い。また、本実施形態では、シャッター部５として複数の板状部材５ａにより構成されるブラインドを用いているが、これに限定されない。例えば、電気信号により透明な状態と不透明な状態とに変化する液晶シートなどによりシャッター部を構成するようにしても良い。
【００１８】
具体的には、図４に示すように、本変形例によるシャッター部５´は、電気信号を入力すると透明な状態となり、個室用トイレ１内を視認可能な第一の状態となる（図４（ａ））。一方、別の電気信号を入力すると不透明な状態となり、個室用トイレ１内を視認不能な第二の状態となる（図４（ｂ））。
【００１９】
インターフェース６は、個室用トイレ１を図示しないナースコール親機へ接続するためのものであり、ボタン３により生成された呼出信号をナースコール親機へ出力する。ここで、呼出信号を入力したナースコール親機では、患者が個室用トイレ１を使用していることを通知する。この通知の方法としては、スピーカーから音声を出力したり、ランプを点灯／点滅させたり、ディスプレイにて表示を行ったりする方法がある。
【００２０】
ベッド上に居る患者によってボタン３が操作されると、ボタン３は呼出信号を生成して制御部２へ出力する。呼出信号を入力した制御部２は、ドアＤを開状態にするとともに、入力した呼出信号をインターフェース６へ出力する。インターフェース６は、制御部２から入力した呼出信号をナースコール親機へ出力する。呼出信号を入力したナースコール親機では、患者が個室用トイレ１を使用していることを通知する。ここで、ナースコール親機が管理する個室用トイレ１が複数存在する場合には、各個室用トイレ１を識別するための識別情報を呼出信号に付加する必要がある。
【００２１】
また、呼出信号を入力した制御部２によりドアＤが開状態である場合に、患者が個室用トイレ１内の空間へ入ったことが検出部４にて検出されると、検出部４にて検出信号が生成されて制御部２へ出力される。検出信号を入力した制御部２は、ドアＤを閉状態とする。このように、ボタン３が操作され、ドアＤが開状態となり、患者が個室用トイレ１内の空間へ入って、ドアＤが閉状態となるまでの第一の制御を制御部２にて行う。
【００２２】
一方、ベッド上に居る患者によってボタン３が操作されると、制御部２は、シャッター部５を制御して、個室用トイレ１内を視認不能としている第二の状態（図３（ｂ）参照）から個室用トイレ１内を視認可能とする第一の状態（図３（ａ）参照）へと変化させる。すると、病室ドアを開けた医療従事者は、壁面Ｗを介して個室用トイレ１内を視認可能となる。この状態で、患者が個室用トイレ１内の空間から出たことが検出部４にて検出されると、検出部４は退出信号を生成して制御部２へ出力する。退出信号を入力した制御部２は、シャッター部５を制御して、個室用トイレ１内を再び視認不能な第二の状態（図３（ｂ）参照）へと変化させる。
【００２３】
なお、本実施形態では、制御部２は、ボタン３が操作されたタイミングでシャッター部５を制御して第一の状態へ変化させているが、これに限定されない。例えば、患者が個室用トイレ１内の空間に入ったことが検出部４にて検出されたタイミングでシャッター部５を制御して第一の状態へ変化させるようにしても良い。
【００２４】
以上詳しく説明したように、本実施形態によれば、ベッド近傍に設けたボタン３を操作することによりドアＤを開状態にするとともに、医療従事者を呼び出す通知を行い、患者が個室用トイレ１内に入ったことを検出部４にて検出することでドアＤを閉状態にするようにしている。また、個室用トイレ１の壁面Ｗに設けたシャッター部５を外部から視認可能な第一の状態と外部から視認不能な第二の状態とに遷移可能とし、患者がボタン３を操作してから患者が個室用トイレ１を出たことを検出部４にて検出するまでの間、シャッター部５を第一の状態とするようにしている。
【００２５】
これにより、患者が個室用トイレ１のドアＤを開けるために操作しなければならないボタン３の操作により医療従事者を呼び出す通知が行われるので、個室に居る患者が個室用トイレ１を使用していることを医療従事者に確実に通知することができる。また、個室用トイレ１の壁面Ｗに設けたシャッター部５が外部から視認可能な第一の状態と外部から視認不能な第二の状態とを遷移可能に構成されており、患者がボタン３を操作してから患者が個室用トイレ１の外へ出たことを検出するまでの間、シャッター部５が外部から視認可能な第一の状態となるので、患者が個室用トイレ１を使用している際に、医療従事者が個室を覗いただけで、個室用トイレ１の状況を把握することができる。一方、それ以外の間は、シャッター部５が外部から視認不能な第二の状態となるので、患者が個室用トイレ１を使用していないときには、患者に個室用トイレ１の存在を感じさせないようにすることができる。
【００２６】
なお、前述した実施形態では、シャッター部５が個室用トイレ１の壁面Ｗに設けられているが、これに限定されない。例えば、個室用トイレ１のドアＤにシャッター部５を設けるようにしても良い。ここで、医療従事者が病室ドアを開けて病室内を覗いたときに個室用トイレ１が確認できる位置にシャッター部５を設けることが好ましい。
【００２７】
また、前述した実施形態では、患者が個室用トイレ１を使用する際にボタン３を操作しているが、これに限定されない。例えば、個室用トイレ１のドアＤの前に患者が立ったことを検出するマットセンサーなどのセンサーをボタン３の代わりに使用するようにしても良い。
【００２８】
また、前述した実施形態では、検出部４として人感センサーを用いているが、これに限定されない。例えば、検出部４として、便器周辺の荷重を検出するマットセンサーを使用するようにしても良い。
【００２９】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３０】
１    個室用トイレ
２    制御部
３    ボタン
４    検出部
５、５´    シャッター部
５ａ    板状部材
６    インターフェース
Ｗ    壁面
Ｄ    ドア
【図１】
0005939875.tif 000002
【図２】
0005939875.tif 000003
【図３】
0005939875.tif 000004
【図４】
0005939875.tif 000005